(57)【特許請求の範囲】
【請求項１】
取付プレート部及び前記取付プレート部に連結されると共に物体を保持する保持部を備えた部材を取付けるように構成され、遊技機が設置される遊技場に配置される椅子の座部であって、前記座部における裏面側の両幅側縁部の少なくとも一方に配置され、前記取付プレート部が配置される取付平面部と、前記取付平面部に形成され、前記取付平面部に配置された前記取付プレート部を前記椅子の座部に固定する複数種類の固定手段とを備え、
前記取付プレート部には、回動可能に固定され、座部裏面側に格納しうると共に使用時には座部外方へ回動して配置される部材が取り付けられていることを特徴とする椅子の座部。
【請求項２】
前記固定手段は、前記取付平面部から離間して配置され、前記取付平面部との間で前記取付プレート部を挟み込む突起部を備えることを特徴とする請求項１に記載の椅子の座部。
【請求項３】
前記固定手段は、前記取付プレート部を固定するねじ部材をねじ込む雌ねじ部を備えることを特徴とする請求項１に記載の椅子の座部。
【請求項４】
前記固定手段は、前記取付プレート部に弾性力を備えて突出形成された爪部材が嵌まり込む嵌合穴部を備えることを特徴とする請求項１に記載の椅子の座部。
【請求項５】
前記固定手段は、前記取付プレート部に先太部を備えて突出形成された突起部が挿入された後からスライドされて固定される凸字状穴部を備えることを特徴とする請求項１に記載の椅子の座部。
【請求項６】
前記座部には、鞄の把手を保持する鞄把手保持部材、飲料の容器を保持するドリンクホルダーを含む複数の部材から選択された少なくとも１つの部材が取付けられることを特徴とする請求項１から請求項５のいずれか一項に記載の椅子の座部。
【請求項７】
請求項１から請求項６のいずれか一項に記載の椅子の座部を備えることを特徴とする椅子。
【発明の詳細な説明】
【技術分野】
【０００１】
本発明は、各種部材をオプション品として選択して取付けることができる椅子及び椅子の座部に関する。
【背景技術】
【０００２】
近年、パチンコ機、パチスロ機を設置した遊技場においては、遊技者がより快適に遊技をできるようにするため、椅子にもさまざまな利便性が求められている。
【０００３】
遊技場においては、島として配置された各遊技機の前側に椅子が配置されており、遊技者はこの椅子に腰掛けて遊技を行う。このとき、遊技場では、遊技機と椅子との間隔、及び隣接する椅子の間隔が狭く、かつ、各遊技機の下端部に幅の狭いテーブルが配設されているのみであり、実質的な収納空間はないことから、遊技者は、持参した鞄、傘、携帯電話等の手持ち物品の置き場所に困ることがある。
【０００４】
このような場合、例えば、鞄は遊技機前の床に置く他なく、鞄が汚れたり、遊技の邪魔になり遊技に集中できない場合がある。また、傘や携帯電話等も同様である。その結果、椅子に、鞄が掛けられるような部材や、飲料容器を保持するドリンクホルダーや、遊技者が腕をのせるアームレストを取付けられるように構成することが要望されている。
【０００５】
このように、椅子にはこのような多種類の部材を取付けることが望まれるが、椅子にこれらの部材を全て取付けることはできず、部材の事後的な追加には、取付コストが嵩む。また、椅子本体はデザイン的な統一の観点から同一の仕様のものが多数配置されることから、同一の仕様の椅子に、遊技場側の設置者が所望の部材を選択して設置できることも望まれる。
【０００６】
部材の配置例としては以下のものを挙げることができる。椅子の右側にアームレスト、左側にはドリンクホルダー、鞄保持のための部材を配置、又は椅子の右側には何も配置せずに左側にドリンクホルダーを配置する等の態様が考えられる。これらの選択は、遊技場の立地、予算等によって椅子の設置者が自由にできることが望ましい。
【０００７】
このような観点から従来技術を考慮した場合、従来より、椅子の座部にさまざまな部材を配置して物品を配置できるようにする技術が提案されている。特許文献１には、座本体の底面には、手荷物を吊すための吊持体が設けられ、この吊持体は、座本体の下側に隠れる収納位置と座本体から突出する使用位置との間で移動可能な椅子が記載されている。
【０００８】
特許文献２には、先端に傘挿通用リングを形成してなるロッドを、座板の下側に該リングが座板の外周縁より出没自在となるように設けてなることを特徴とした椅子が記載されている。
【０００９】
特許文献３には、少なくとも前後両辺が互いに平行となるように形成されて、椅子の座板下面に取付けられる基枠と、この基枠の前記前後両辺の内側に形成した案内部にて摺動自在に組付けられて、先端部が前記椅子の側方に突出することにより手荷物の置き場所を構成する支持台とを備えたことを特徴とする手荷物置きが記載されている。
【特許文献１】特開平８−８０３８１号公報
【特許文献２】特開平０８−３８３０９号公報
【特許文献３】特開平８−２９４４２９号公報
【発明の開示】
【発明が解決しようとする課題】
【００１０】
しかし、上述した各特許文献を含む従来の椅子にあっては、個別の物品、例えば鞄だけ、あるいは傘だけを設置できるだけのものであり、椅子に所望の機能の備える部材を選択して配置できるものではない。
【００１１】
そこで、本発明は、このような従来の問題点にかんがみなされたものであって、遊技機が設置される遊技場に配置される椅子の座部において、同一仕様の椅子の座部に所望の異なる部材を自由に選択し、選択した部材を容易に取付できるようにすることを目的とする。
【課題を解決するための手段】
【００１２】
前記課題を解決する請求項１に記載の発明は、取付プレート部及び前記取付プレート部に連結されると共に物体を保持する保持部を備えた部材を取付けるように構成され、遊技機が設置される遊技場に配置される椅子の座部であって、前記座部における裏面側の両幅側縁部の少なくとも一方に配置され、前記取付プレート部が配置される取付平面部と、前記取付平面部に形成され、前記取付平面部に配置された前記取付プレート部を前記椅子の座部に固定する複数種類の固定手段とを備え、前記取付プレートには、回動可能に固定され、座部裏面側に格納しうると共に使用時には座部外方へ回動して配置される部材が取り付けられていることを特徴とする椅子の座部として構成されている。
【００１３】
請求項１に係る発明によれば、複数の異なる物品を保持する異なる種類の部材から選択した部材を簡単に同一仕様の座部に容易に取付けることができ、椅子の配置状況や使用環境に適した部材を容易に配置できる。また、部材は不使用時には座部裏面側に格納し、使用時には座部外方へと回動させることができる。
【００１４】
請求項２に記載の発明は、請求項１に記載の椅子の座部において、前記固定手段は、前記取付平面部から離間して配置され、前記取付平面部との間で前記取付プレート部を挟み込む突起部を備えることを特徴とする。
【００１５】
請求項２に係る発明によれば、取付プレート部を突起部と取付平面部との間に挟んで配置するという簡単な動作で、選択した部品を椅子の座部に取付けることができる。
【００１６】
請求項３に記載の発明は、請求項１に記載の椅子の座部において、前記固定手段は、前記取付プレート部を固定するねじ部材をねじ込む雌ねじ部を備えることを特徴とする。
【００１７】
請求項３に係る発明によれば、取付プレート部をねじ部材で取付平面部に固定するという簡単な動作で、選択した部品を椅子の座部に強固に取付けることができる。
【００１８】
請求項４に記載の発明は、請求項１に記載の椅子の座部において、前記固定手段は、前記取付プレート部に弾性力を備えて突出形成された爪部材が嵌まり込む嵌合穴部を備えることを特徴とする。
【００１９】
請求項４に係る発明によれば、取付プレート部の爪部材を取付平面部の嵌合穴部に弾性的に嵌め込むという簡単な操作で選択した部品を椅子の座部に取付けることができる。
【００２０】
請求項５に記載の発明は、請求項１に記載の椅子の座部において、前記固定手段は、前記取付プレート部に先太部を備えて突出形成された突起部が挿入された後からスライドされて固定される凸字状穴部を備えることを特徴とする。
【００２１】
請求項５に係る発明によれば、取付プレート部突起部を凸字状穴部に挿入してスライドするという簡単な操作で選択した部品を椅子の座部に取付けることができる。
【００２２】
請求項６に記載の発明は、請求項１から請求項５のいずれか一項に記載の椅子の座部において、前記座部には、鞄の把手を保持する鞄把手保持部材、飲料容器を保持するドリンクホルダーを含む複数の部材から選択された少なくとも１つの部材が取付けられることを特徴とする。
【００２３】
請求項６に係る発明によれば、椅子座部に取付ける部品として、鞄把手保持部材、ドリンクホルダー等から選択した少なくとも１つの部材を容易に取付けることができる。
【００２４】
請求項７に記載の発明は請求項１から請求項６のいずれか一項に記載の椅子の座部を備えることを特徴とする椅子である。
【００２５】
請求項７に係る発明によれば、複数の異なる物品を保持する異なる種類の部材から選択した部材を簡単に同一仕様の座部に容易に取付けることができ、配置状況や使用環境に適した椅子を容易に組立てることができる。
【発明の効果】
【００２６】
本発明に係る椅子の座部によれば、複数種類の部品から選択した部品を同一仕様の椅子に簡単に取り付けることができる。また本発明に係る椅子によれば、複数の異なる物品を保持する異なる種類の部材から選択した部材を簡単に同一仕様の座部に容易に取付けることができ、配置状況や使用環境に適した椅子を容易に組立てることができる。
【００２７】
従って、本発明に係る椅子及び椅子の座部が遊技場の椅子に適用された場合には、遊技場側の設置者の意向に沿って、適宜、ドリンクホルダー、バッグホルダー等を選択して、遊技場への椅子の設置時に事後的に座部に取り付けることができるため、予算、立地、その他遊技場の環境条件に応じて遊技場側の要望に沿った椅子を設置することができ、遊技者のニーズに応えることができる。
また、本発明が適用された椅子が設置された場合には、遊技者側は、遊技場に持ち込んだ鞄等の携帯品や、遊技場で購入したドリンク等の身の回り品を、自らの椅子席において効率よく収納することにより、狭い空間の中でも集中して遊技を行うことができる。部材は不使用時には座部裏面側に格納することができるため、遊技者の着席又は離席動作の邪魔にならない。
【図面の簡単な説明】
【００２８】
【図１】本発明が適用される椅子の一実施の形態を示す斜視図である。
【図２】本発明の一実施の形態に係る椅子の座部フレームを示す斜視図である。
【図３】本発明に係る椅子の一実施の形態の座部フレームにおける右平面部を示す図２（ａ）中のＡ方向からの拡大斜視図である。
【図４】本発明の一実施の形態を示し、鞄把手保持部材の斜視図である。
【図５】本発明の一実施の形態を示し、座部フレームへの鞄手把手保持部材の取付け状態を示す斜視図である。
【図６】本発明の一実施の形態を示し、鞄把手保持部材の使用状態を示す斜視図
【図７】本発明の一実施の形態を示しドリンクホルダーを示す斜視図
【図８】本発明の一実施の形態を示し座部フレームへのドリンクホルダーの取付け状態を示す斜視図
【図９】本発明の一実施の形態を示し、傘保持部材を示す斜視図
【図１０】本発明の一実施の形態を示し、アームレストを示す斜視図
【発明を実施するための最良の形態】
【００２９】
本発明を実施するための形態に係る椅子及び椅子の座部について添付図面に基づき詳細に説明する。
図１は本発明が適用される椅子の斜視図、図２は同椅子の座部フレームを示す斜視図である。なお、図中の矢印に、前側をＦ、後側をＢ、右側をＲ、左側をＬ、上側をＵ、下側をＤで示した（以下各図において同じ）。
【００３０】
本実施の形態にあっては、座部１１０を備えた椅子１００は、パチンコ機又はパチスロ機が設置される遊技場に配置される。まず、椅子１００の基本構成について説明する。
図１（ａ）、（ｂ）に示すように、椅子１００は、遊技者が着座する座部１１０、遊技者が背を預ける背もたれ部１２０、座部１１０を、図示外の側面Ｌ字状のバネフレーム材を介して支持固定する脚部１３０、及び脚部１３０が固着されるベース部１４０を備えている。座部１１０は、後述する合成樹脂製の座部フレーム部２００（図２参照）にクッション１１１を配置して構成され、脚部１３０に対して水平面で回転可能に配置されている。
【００３１】
背もたれ部１２０は、図１（ａ）に示すように、座部１１０の後側を被覆して垂直に配設され、合成樹脂製のフレーム部１２１にクッション１２２を配置して構成される。脚部１３０は金属製筒状部材であり、座部１１０の座部フレーム部２００に固定される。脚部１３０の下端部には円盤状のベース１０４が固定されており、椅子１００の設置面である遊技場の床に設置される。
【００３２】
また、椅子１００は、椅子１００の座部１１０に複数種準備された、例えば、オプション品として販売される異なる種類の部材から選択した１種又は２種を取付けることができる。即ち、１つのオプション品を選択して座部１１０の右側又は左側に配置することもでき、また、２つのオプション品を選択して座部１１０の左右両側に取付けることができる。また、座部１１０に何も取付けないことができる。この点は、本実施の形態に係る椅子の設置者である遊技場側の事情により適宜選択することができる。
【００３３】
ここで、オプション品の例について説明する。オプション品は各種の物体を保持するものであれば特に限定されない。例えば、本実施形態で使用するオプション品は、鞄把手保持部材３００（図４参照）、飲料の容器を保持するドリンクホルダー４００（図７参照）、傘を保持する傘保持部材５００（図９参照）、着座者が腕を掛けるアームレスト６００（図１０参照）等である。
【００３４】
いずれのオプション品も、平板状の取付プレート部３１０、４１０、５１０、６１０を備えている。オプション品は、この取付プレート部を、座部１１０における下側の両幅側縁部の少なくとも一方、本実施の形態では、図２に示すように、両側縁部に配置される右平面部２２０、左平面部２３０に取付けることで椅子１００に配置固定される。
【００３５】
ここで、作用する荷重の大きな鞄把手保持部材３００、アームレスト６００の取付プレート部６１０は金属製であり、荷重の小さいドリンクホルダー４００、傘保持部材５００の取付プレート部４１０、５１０は合成樹脂で形成される。また、取付プレート部３１０、４１０、５１０、６１０は同一仕様の椅子１００の座部１１０に取付けることできるように作成され、作用する荷重等によって右平面部２２０及び左平面部２３０への取付状態を、後述するように、それぞれ設定している。
【００３６】
次に、座部フレーム部２００について説明する。図２は同椅子の座部フレームを示す斜視図である。
図２において、（ａ）は座部フレーム部２００の上下を反転した状態の右前方からの斜視図、（ｂ）は同じく左後方からの斜視図である。座部フレーム部２００は、合成樹脂製の形成型部材であり、座部１１０の下部に露出して配置される。座部フレーム部２００は、図２に示すように、着座によって変形しないように、剛性を有する格子状のリブ構造を備えるフレーム本体２１０を備える。
【００３７】
また、フレーム本体２１０の下側には、両横側部にオプション品の取付プレート部を取付ける取付平面部として右平面部２２０及び左平面部２３０が形成されている。右平面部２２０及び左平面部２３０には、鞄把手保持部材３００、ドリンクホルダー４００、傘保持部材５００、及びアームレスト６００の取付プレート部３１０、４１０、５１０、６１０を固定する固定手段が設けられている。
本実施の形態にあっては、座部フレーム２００は平面略長方形状に形成され、右平面部２２０及び左平面部２３０は、長さ方向中間部において、幅方向の両側部に下方へ向かって膨出形成されたスカート部２４０、２４０を両側方へ切り欠くようにして、平面長方形状に設けられ、前後方向には連続する壁部２２０ａ、２２０ｂ、幅方向内方には壁部２２０ｃが連設されている。
【００３８】
右平面部２２０は、固定手段として、２つの突起部２２１、２２１、２つのボルト穴部２２２、２２２、２つの嵌合穴部２２３、２２３、及び２つの凸字状穴部２２４、２２４を備える。また、左平面部２３０は、固定手段として２つの突起部２３１、２３１、２つのボルト穴部２３２、２３２、２つの嵌合穴部２３３、２３３、及び２つの凸字状穴部２３４、２３４を備える。右平面部２２０と左平面部２３０の各固定手段は同一の構成を備えるので、以下右平面部２２０側の固定手段について説明する。
【００３９】
図３は同座部フレームにおける右平面部を示す図２（ａ）中のＡ方向からの拡大斜視図である。突起部２２１、２２１は右平面部２２０の前後方向端部に形成された壁部２２０ａ、２２０ｂから内側に向けて突出形成されている。この突起部２２１、２２１は、平面コ字状の片部として形成され、右平面部２２０の一般面から所定の寸法を開けて配置されている。
【００４０】
即ち、突起部２２１、２２１と、右平面部２２０との間にオプション品の取付プレート部、例えばドリンクホルダー４００の取付プレート部４１０を挟んで保持できる（図８参照）寸法だけ離間して配置される。この右平面部２２０に他のオプション品を取付けることから、各オプション品の取付プレート部の厚さ寸法は統一しておく。
【００４１】
ボルト穴部２２２、２２２は、内部に雌ねじ部が形成されており、オプション品の取付プレート部を固定するためのボルトがねじ込まれる。ボルト穴部２２２、２２２は、支持する物品により大きな荷重がかかるオプション品、例えば鞄把手保持部材３００、アームレスト６００を取付けるために使用される。
【００４２】
嵌合穴部２２３、２２３は、右平面部２２０から、右平面部２２０内側端部に右平面部２２０から立設する内側壁部２２０ｃにわたって開設される。この嵌合穴部２２３、２２３には、オプション品の取付プレート部の端部に形成された、後述する弾性力を備える爪部材を挿入して嵌め込み固定するように構成されている。
【００４３】
取付けられるオプション品への荷重が小さい場合、例えばドリンクホルダー４００、傘保持部材５００を右平面部２２０に取付ける場合は、取付プレート部４１０、５１０の前後端部を前述した突起部２２１、２３１で挟み込んで押さえる。そして、嵌合穴部３２３、３３３に取付プレート部４１０、５１０に形成した爪部材４１３、４１３を嵌め込んで固定する。これにより、オプション品は座部１１０に取付けられる。
【００４４】
凸字状穴部２２４、２２４は、図３に示すように、前後方向沿って大きい幅寸法を備える挿入穴部２２４ａとこの挿入穴部２２４ａの内側に連続して形成された挿入穴部２２４ａより小さな幅寸法を備える少幅穴部２２４ｂとを備える。オプション品の取付プレート部に形成した先太部を備える断面Ｔ字状の突起を挿入穴部２２４ａに挿入し、少幅穴部２２４ｂ側にスライドすることより取付プレート部を右平面部２２０に固定するように構成されている。
【００４５】
更に、右平面部２２０では、内側壁部２２０ｃに取付プレート部の位置決め用の位置決突起２２５が突出形成されている。この位置決突起２２５に取付プレート部の内側端縁部に形成した凹部を嵌めて取付プレート部の位置決めを行うことができる。
【００４６】
また、左平面部２３０にも同様の構成を備える突起部２３１、２３１、ボルト穴部２３２、２３２、嵌合穴部２３２、２３２、凸字状穴部２３４、２３４、位置決突起２３５が形成されている。これらにより、右平面部２２０側と同様に左平面部２３０にオプション品を取付けることができる。
【００４７】
次に座部１１０に取付けるオプション品について説明する。
まず、鞄把手保持部材３００について説明する。図４は鞄把手保持部材の斜視図、図５は座部フレームへの鞄手把手保持部材の取付け状態を示す斜視図、図６は鞄把手保持部材の使用状態を示す斜視図である。
【００４８】
図４（ｂ）及び図５（ａ）、（ｂ）において、鞄把手保持部材３００は、鞄の把手を掛けることができる使用位置、図４（ａ）及び図５（ｃ）において、鞄把手保持部材３００は座部１１０の側部に収納した収納位置に配置されている。また、この例では、鞄把手保持部材３００は、右手での遊技を考慮して左平面部２３０に取付けられる。
【００４９】
鞄把手保持部材３００は、取付プレート部３１０と、取付プレート部３１０に回動可能に取付けられた腕部３２０と、腕部３２０に回動可能に取付けられた把手掛部３３０とから構成される。
【００５０】
取付プレート部３１０は、略四角形平板状のプレート本体３１１と、このプレート本体３１１の端縁に折りまげ形成した腕取付け部３１３とを備える。取付プレート部３１０は、把手掛部３３０に掛けられる鞄の荷重に耐え、取付プレート部３１０を強固に座部フレーム部２００に取付けるため、全体をアルミニウム、スチール等の金属板を折りまげ加工して形成される。また、プレート本体３１１には、ボルト挿通穴３１２が開設されている。
【００５１】
鞄把手保持部材３００の取付プレート部３１０は、左平面部２３０に、図示しないボルトを使用して固定する。取付プレート部３１０の前端縁を後側の突起部２２１と左平面部２３０との間に挟んだ状態で、ボルトをボルト穴部２２２又は２２３にねじ込んで右平面部２２０に固定する。
【００５２】
腕取付け部３１３には、腕部３２０が腕部回動軸３２２で回動自在に取付けられる。これより、腕部３２０は、腕部回動軸３２２を中心に回動させて座部１１０の左側縁に沿った垂直面内において回転して椅子の座部に沿った収納位置（図５（ｃ）参照）と、座部１１０の横側に立ち上がる立設位置（図４（ｂ）、図５（ａ）、（ｂ）、及び図６参照）に配置できる。
【００５３】
腕部３２０は、棒状の腕部本体３２１を備え、腕部本体３２１の腕部回動軸３２２が設置された側と反対側の端部に、把手掛部３３０を回動可能に配置できる把手部回動軸３３２が配置されている。把手掛部３３０は、側方略Ｌ字状に折曲形成された平板状の部材であり、湾曲した先端部３３１ａが形成され、図６に示すように、鞄を把手掛部３３０に掛けた際に把手Ｂａが滑り落ちないように構成されている。
【００５４】
把手掛部３３０は、把手部回動軸３３２を中心にして座部１１０の左側縁と上下方向において直角をなす垂直面内で回転して把手掛部３３０を外側に突出する水平状態として鞄把手を保持できる保持位置（図４（ｂ）、図５（ａ）、（ｂ）、及び図６参照図参照）、保持面を垂直状態として前記腕部の延長上に配置する格納位置（図４（ａ）、図５（ｃ）参照）に配置できる。
【００５５】
この鞄把手保持部材３００を座部フレーム部２００に取付けた状態で、鞄把手保持部材３００を使用位置と、収納位置に保持することができる。即ち、鞄を掛ける場合、収納状態（図４（ａ）、図５（ｃ））にある腕部３２０を、腕部回動軸３２２を回動中心に回転させて立ち上げる。更に把手掛部３３０を、把手部回動軸３３２を中心に外側に向け回動させて水平に突出させる。これにより図６に示す使用状態となり、鞄を掛けておくことができる。
【００５６】
鞄把手保持部材３００を収納位置にするには、逆の手順で把手掛部３３０、腕部３２０を回転操作させることにより、鞄把手保持部材３００は収納位置へ戻すことができる。
【００５７】
この鞄把手保持部材３００は、ボルト３３４により簡単に座部１１０に着脱できる。そして、鞄把手保持部材３００を取付けた状態でも、使用しない場合には格納位置として、遊技者が着座又は離席動作する場合の邪魔にならない。更に、鞄を掛ける場合には簡単に鞄把手保持部材３００を使用状態にできるという効果を奏する。
【００５８】
次にオプション品として、飲み物容器を格納するドリンクホルダー４００について説明する。図７はドリンクホルダーを示す斜視図、図８は座部フレームへのドリンクホルダーの取付け状態を示す斜視図である。ドリンクホルダー４００は、全体が合成樹脂により形成されている。ドリンクホルダー４００は、平板状の取付プレート部４１０と、取付プレート部４１０に接続された連結部４２０と、連結部４２０に接続された合成樹脂製の保持部４３０とからなる。
【００５９】
取付プレート部４１０は、全体長方形状であって、右平面部２２０と同一の長さ幅寸法であると共に前後方向に対称に形成されており、図８に示すように、座部フレーム部２００の右平面部２２０に取付けることができる。なお、ドリンクホルダー４００は、左平面部２３０にも取付け可能である。このため、取付プレート部４１０の幅寸法は、右平面部２２０及び左平面部２３０の前後方向の寸法と略同一に形成されている。
【００６０】
取付プレート部４１０のプレート本体４１１の幅方向端部には、右平面部２２０の嵌合穴部２２２、２２３に弾性的に嵌め込まれる爪部材４１３、４１３が、嵌合穴部２２２、２２３の間隔寸法と同一の間隔寸法を置いて形成されている。また、プレート本体４１１の内側端部には、位置決突起２２５と係合する位置決め凹部４１４が形成されている。更に、プレート本体４１１には、前後方向の端部に２つの連結部回転軸４１５、４１６が形成される。
【００６１】
ドリンクホルダー４００を右平面部２２０に固定する場合には、図８に示すように、取付プレート部４１０を右平面部２２０に沿ってスライドさせて挿入すると、取付プレート部４１０の前後の両端部が突起部２２１、２２１により右平面部２２０との間に挟み込まれる。更に挿入を続けると、爪部材４１３、４１３が弾性的に変形して、嵌合穴部３２３、３２３に入り込み、形状を弾性的に復元して嵌合穴部３２３に嵌まり込んで固定される。
【００６２】
連結部４２０は、３本の腕部４２１、４２２、４３３で構成される。連結部４２０は、基部４２４において取付プレート部４１０の連結部回転軸４１５又は連結部回転軸４１６に水平面に沿って回動可能に取付けられる。連結部回転軸４１５、４１６には、周囲３箇所に弧状爪部材４１５ａ、４１６ａが形成され、基部４２４には、連結部回転軸４１５、４１６の弧状爪部材４１５ａ、４１６ａに対応する弧状切欠部４２４ａを備えた穴部が形成されている。これにより、連結部回転軸４１５、連結部回転軸４１６のいずれかに基部４２４を着脱かつ回動自在に取付けることができる。
【００６３】
保持部４３０は、上側に開口を備え有底円筒形状のカップ保持部材４３１を備える。カップ保持部材４３１の上縁部は連結部４２０と同じ高さ位置に設定される。また、連結部４２０と保持部４３０とは一体成型されている。なお、取付プレート部４１０は、右平面部２２０又は左平面部２３０に取付けることができるが、連結部４２０の基部４２４は、連結部回転軸４１５、４１６のいずれか使用しやすい側に配置するように構成されている。
【００６４】
ドリンクホルダー４００を座部１１０に取付けた状態で、連結部４２０を、連結部回転軸４１５を中心にして回動することにより、保持部４３０を座部の左外側に引き出す。これにより保持部４３０に飲み物容器を収納することができる状態となる。
【００６５】
一方、ドリンクホルダー４００を使用しないときには、保持部４３０を座部１１０の下に配置するように、連結部４２０を、連結部回転軸４１５を中心に回動させる。これにより保持部４３０が座部１１０の下側に隠れて配置され、遊技者の着席又は離席動作の邪魔にならない状態となる。
【００６６】
次に、傘保持部材５００について説明する。図９は傘保持部材を示す斜視図である。傘保持部材５００は、全体が合成樹脂で形成されている。傘保持部材５００は、右平面部２２０及び左平面部２３０のいずれにも取付け可能な平板状の取付プレート部５１０と、この取付プレート部５１０に回動自在に取付けられる連結部５２０と、この連結部５２０に連結される傘保持部５３０とからなる。
【００６７】
取付プレート部５１０は、ドリンクホルダー４００の取付プレート部４１０と同じ構成を備える。即ち、プレート本体５１１には、爪部材５１３、５１３、位置決め凹部５１４、連結部回転軸５１５、５１６が設けられている。また、連結部５２０は、連結部回転軸５１５に回動自在に取付けられる。更に、傘保持部５３０は、間に傘を挟み込む２本の挟み込みアーム５３１、５３２を備えている。
挟み込みアーム５３１、５３２は、夫々、平面において湾曲された把持部材として形成され可撓性を有し、内部に平面略円形状の傘の把持空間Ｓを形成するように構成されている。
【００６８】
この傘保持部材５００により、傘保持部５３０で傘を保持できる。また、ドリンクホルダー４００と同様に傘保持部５３０を座部１１０の横に突出した使用状態、又は座部１１０の下側に配置した収納状態にできる。
【００６９】
なお、ドリンクホルダー４００、傘保持部材５００の右平面部２２０への取付方法は上記例には限定されない。取付プレート部４１０、５１０に先太部を備えて突出形成された突起部を形成し、凸字状穴部２２４の挿入穴部２２４ａに挿入して、取付プレート部４１０、５１０を少幅穴部２２４ｂ側にスライドして、取付プレート部４１０、５１０を固定することもできる。
【００７０】
次に、アームレストのアームレストについて説明する。図１０はアームレストを示す斜視図である。アームレスト６００は、取付プレート部６１０と、この取付プレート部６１０に回動可能に配置された連結アーム部６２０と、連結アーム部６２０の先端部に配置された腕置部６３０とからなる。
【００７１】
取付プレート部６１０は、略四角形平板状のプレート本体６１１と、このプレート本体６１１の端縁に折りまげ形成した連結部取付け部６１３とを備える。取付プレート部６１０は、アームレスト６００に掛けられる腕の荷重に耐え、取付プレート部６１０を強固に座部フレーム部２００に取付けるため、全体をアルミニウム、スチール等の金属板を折りまげ加工して形成される。そして、プレート本体６１１には、２つのボルト挿通穴６１２、６１２が開設される。
【００７２】
また、連結部取付け部６１３には、連結アーム部６２０が連結部回動軸６２１で回動自在に取付けられる。更に、連結部６２０には腕置部６３０が取付けられている。これにより、連結アーム部６２０と腕置部６３０とは、連結部回動軸６２１を中心にして腕を置くことができる使用位置と、腕置部６３０を後側に回動させた収納位置に移動できる。
【００７３】
アームレスト６００は、取付プレート部６１０を右平面部２２０に配置して、突起部２２１で前後端部を挟み込んだ状態で、２本のボルト（図示していない）ボルト挿通穴６１２に挿通してボルト穴部２３２、２３２にねじ込むことにより、腕部３２０に固定する。
【００７４】
なお、上述したオプション品は、左平面部２３０だけではなく、右平面部２２０に配置したり、右平面部２２０及び左平面部２３０の両側に配置したりすることができる。これらの場合、各平面部に配置する部材の種類を適宜選択することができる。また、右平面部２２０及び左平面部２３０に全く部材を取付けない状態とすることができる。
【００７５】
このため、本実施形態に係る椅子及び椅子の座部によれば、遊技場の設置箇所や、客層、予算によって適切な部材を選択して同一仕様の椅子の座部に取付けて配置できる。これにより、椅子の設置者は多くの選択肢から適切な部材を選択して椅子に設置できる。
【産業上の利用可能性】
【００７６】
本発明に係る椅子及び椅子の座部は、遊技場等において並べて配置した遊技機前に多数配置する椅子に適用でき、産業上の利用可能性を有する。
【符号の説明】
【００７７】
１００：椅子
１１０：座部
１２０：背もたれ部
１３０：脚部
１４０：ベース部
２００：座部フレーム部
２１０：フレーム本体
２２０：右平面部（取付平面部）
２２１：突起部（固定手段）
２２２：ボルト穴部（固定手段）
２２３：嵌合穴部（固定手段）
２２４：凸字状穴部（固定手段）
２３０：左平面部（取付平面部）
２３１：突起部（固定手段）
２３２：ボルト穴部（固定手段）
２３３：嵌合穴部（固定手段）
２３４：凸字状穴部（固定手段）
３００：鞄把手保持部材（部品）
４００：ドリンクホルダー（部品）
５００：傘保持部材（部品）
６００：アームレスト（部品）
【要約】
【課題】椅子の座部に複数の異なる物品を保持する異なる種類の部材から選択した部材を簡単かつ交換可能に取付ける。
【解決手段】座部１１０下側にオプション品の取付プレート部が配置される右平面部２２０と左平面部２３０とが形成される。右平面部２２０及び左平面部２３０には、取付プレート部を椅子１００の座部に固定するため、突起部２２１、２３１、ボルト穴部２２２、２３２、嵌合穴部２２３、２３３、凸字状穴部２２４、２３４が形成されている。１種又は複数種のオプション品を同一仕様の椅子に突起部２２１、ボルト穴部２２２、嵌合穴部２２３、凸字状穴部２２から最適なものを利用して取付けることができる。
【選択図】図２【図１】
0005748888.tif 000002
【図２】
0005748888.tif 000003
【図３】
0005748888.tif 000004
【図４】
0005748888.tif 000005
【図５】
0005748888.tif 000006
【図６】
0005748888.tif 000007
【図７】
0005748888.tif 000008
【図８】
0005748888.tif 000009
【図９】
0005748888.tif 000010
【図１０】
0005748888.tif 000011